(57)【特許請求の範囲】
【請求項１】
複数のディスプレイ装置に無線通信を用いてデータを配信するディスプレイ装置へのデータ配信システムであって、
前記複数のディスプレイ装置に関するテーブルを保有する配信サーバと、
前記配信サーバに接続し、システム管理者が前記複数のディスプレイ装置に対する初期設定操作およびコンテンツ設定操作を行うクライアントとを備え、
前記テーブルは、前記複数のディスプレイ装置をグループとして扱うグループ部および前記グループ内での前記ディスプレイ装置を特定する単体部からなるロケーションＩＤの格納領域を有し、
前記配信サーバは、前記システム管理者の前記初期設定操作による前記ディスプレイ装置の設置箇所の情報に基づいて、前記ロケーションＩＤを生成して、前記テーブルに格納し、前記システム管理者のコンテンツ設定操作による情報に基づいて、前記ロケーションＩＤの前記グループ部の情報を用いて、前記複数のディスプレイ装置に対して、前記グループ部で指定されたグループごとに表示データおよび表示スケジュールの情報を配信することを特徴とするディスプレイ装置へのデータ配信システム。
【請求項２】
請求項１記載のディスプレイ装置へのデータ配信システムにおいて、
前記配信サーバは、前記ディスプレイ装置の初期起動時に、そのディスプレイ装置からの固有情報を受信し、受信した前記固有情報を前記テーブルに前記ロケーションＩＤに関連付けて格納し、前記ロケーションＩＤに対して設定された初期設定情報を初期起動した前記ディスプレイ装置に配信することを特徴とするディスプレイ装置へのデータ配信システム。
【請求項３】
請求項２記載のディスプレイ装置へのデータ配信システムにおいて、
前記初期設定情報は、前記無線通信における前記配信サーバと前記ディスプレイ装置との間の接続情報を含むことを特徴とするディスプレイ装置へのデータ配信システム。
【請求項４】
請求項３記載のディスプレイ装置へのデータ配信システムにおいて、
前記配信サーバは、前記ディスプレイ装置の初期起動時には、予め前記ディスプレイ装置の出荷時に設定された初期設定用の接続情報により、前記ディスプレイ装置と通信を行うことを特徴とするディスプレイ装置へのデータ配信システム。
【請求項５】
請求項２〜４のいずれか１項記載のディスプレイ装置へのデータ配信システムにおいて、
前記初期設定情報は、前記配信サーバへのコンテンツ確認日時の情報を含み、
前記ディスプレイ装置は、前記コンテンツ確認日時の情報に基づいて、前記配信サーバへアクセスし、
前記配信サーバは、前記ディスプレイ装置からのアクセスに対して、前記表示データおよび前記表示スケジュールの情報に更新があれば、更新された表示データおよび表示スケジュールの情報を前記ディスプレイ装置に配信することを特徴とするディスプレイ装置へのデータ配信システム。
【発明の詳細な説明】
【技術分野】
【０００１】
本発明は、ディスプレイ装置へのデータ配信システムに関し、特に、データ配信の効率化に関するものである。又、ディスプレイ装置としては、特に電子ペーパーディスプレイを対象とする。
【背景技術】
【０００２】
近年、情報化社会において、ディスプレイ装置が注目されている。その中でも特に、環境問題の観点から次世代の広告媒体として電子ペーパーディスプレイが注目され、研究開発や一部実用化され始めている。電子ペーパーディスプレイをはじめとするディスプレイ装置はバッテリー駆動、無線ＬＡＮモジュール、内蔵メモリを備えており、媒体設置のための特別な工事を必要とせず、自由に設置、移動を行いながら使用することが可能である特徴がある。しかし、電子ペーパーディスプレイなどディスプレイ装置を設置、移動した場合、表示するイメージ、スケジュール情報をサーバにて一元管理している必要があり、サーバからディスプレイ装置への情報は簡潔な操作で設定ができる必要がある。
【発明の開示】
【発明が解決しようとする課題】
【０００３】
前記従来の技術では、以下のような問題点があった。
（１）ディスプレイ装置へＰｕｌｌ型の通信を行っている。特に、電子ペーパーディスプレイはバッテリー駆動であり、省電力化のために電子ペーパーディスプレイからデータ配信サーバへのキックにより通信を行うＰｕｌｌ型の通信を行っている。クライアント側からＰｕｌｌ型無線通信による配信では、各ディスプレイ装置へ配信する情報（表示情報、表示スケジュール、固有情報）を一元化することが重要となるがディスプレイ装置のシリアルＩＤでディスプレイ装置へ配信する情報を管理する場合は、設置箇所変更や増設により、配信する情報を再設定して配信する作業が発生し一元管理が難しくなる。
（２）前記（１）の理由に加え、サーバ内には電子ペーパーディスプレイをはじめとするディスプレイ装置の固有情報や表示情報をデータベースに格納して管理しているが、ディスプレイ装置交換時は交換し使用しなくなったディスプレイ装置の識別子に紐付いた情報は削除する運用を行わないと識別子に対する配信する情報の管理が煩雑になる問題点がある。
（３）同一車両内等、近くに複数枚のディスプレイ装置を配置し、同一のイメージ、スケジュールで表示させる場合においても、ディスプレイ装置に配信するためのイメージ・スケジュールの設定操作をすべてのディスプレイ装置分行わなければならない問題点がある。
【０００４】
そこで、本発明の目的は、複数のディスプレイ装置への同一イメージデータ、表示スケジュールを配信する際、単一の操作により複数のディスプレイ装置への一括設定を実現することができるディスプレイ装置へのデータ配信システムを提供することにある。
【０００５】
本発明の前記ならびにその他の目的と新規な特徴は、本明細書の記述および添付図面から明らかになるであろう。
【課題を解決するための手段】
【０００６】
本願において開示される発明のうち、代表的なものの概要を簡単に説明すれば、次のとおりである。
【０００７】
本発明によるディスプレイ装置へのデータ配信システムは、複数のディスプレイ装置に無線通信を用いてデータを配信するディスプレイ装置へのデータ配信システムであって、複数のディスプレイ装置に関するテーブルを保有する配信サーバと、配信サーバに接続し、システム管理者が複数のディスプレイ装置に対する初期設定操作およびコンテンツ設定操作を行うクライアントとを備え、テーブルは、複数のディスプレイ装置をグループとして扱うグループ部およびグループ内でのディスプレイ装置を特定する単体部からなるロケーションＩＤの格納領域を有し、配信サーバは、システム管理者の初期設定操作によるディスプレイ装置の設置箇所の情報に基づいて、ロケーションＩＤを生成してテーブルに格納し、システム管理者のコンテンツ設定操作による情報に基づいて、ロケーションＩＤのグループ部の情報を用いて、複数のディスプレイ装置に対して、グループ部で指定されたグループごとに表示データおよび表示スケジュールの情報を配信するものである。
【発明の効果】
【０００８】
本願において開示される発明のうち、代表的なものによって得られる効果を簡単に説明すれば以下のとおりである。
【０００９】
本発明によれば、複数のディスプレイ装置を１グループとし、同一グループ内のディスプレイ装置には同一のイメージデータ、表示スケジュールを一括で設定することが可能となる。
【００１０】
また、本発明によれば、ディスプレイ装置の交換や配置場所の入れ替えを行う際、代替ディスプレイ装置のシリアルＩＤなどの識別子を予め認識していなくても、代替ディスプレイ装置へ固有情報や表示内容、スケジュールといった情報の入れ替え処理が可能となる。
【発明を実施するための最良の形態】
【００１１】
以下、本発明の実施の形態を図面に基づいて詳細に説明する。なお、実施の形態を説明するための全図において、同一の部材には原則として同一の符号を付し、その繰り返しの説明は省略する。尚、本実施の形態は、電子ペーパーディスプレイを例に説明するが、液晶やプラズマディスプレイなど他のディスプレイ装置も本発明に含まれる。
【００１２】
図１により本発明の一実施の形態に係る電子ペーパーディスプレイのデータ配信システムの構成について説明する。図１は本発明の一実施の形態に係る電子ペーパーディスプレイのデータ配信システムの構成を示す構成図である。
【００１３】
図１において、電子ペーパーディスプレイのデータ配信システムは、配信サーバ１００、クライアントＰＣ１０１、車両３００−１〜３００−２（３００）上に設置された電子ペーパーディスプレイ２００−１〜２００−４（２００）から構成されている。
【００１４】
配信サーバ１００は、ネットワーク４００に接続され、配信サーバ１００と各電子ペーパーディスプレイ２００間は無線ＬＡＮアクセスポイントを経由して、無線通信によりデータの通信を行っている。
【００１５】
配信サーバ１００は、電子ペーパーディスプレイテーブル１１０、セットアップテーブル１２０、初期設定変更テーブル１３０、表示スケジュール管理テーブル１４０、一時領域表示スケジュール管理テーブル１５０、配信スケジュール管理テーブル１６０を保有している。
【００１６】
クライアントＰＣ１０１は、ＬＡＮ経由で配信サーバ１００にアクセスし、各電子ペーパーディスプレイ２００の固有情報、表示イメージデータ、表示スケジュールを設定し、配信サーバ１００で保持する。
【００１７】
配信サーバ１００は、無線ＬＡＮアクセスポイントを経由して、電子ペーパーディスプレイ２００へイメージデータと表示スケジュールデータを配信する。配信されたデータは、一旦電子ペーパーディスプレイの内蔵メモリに登録され、内部に持つ時刻に従い描画する。配信方法は、電子ペーパーディスプレイ２００が配信定期的に配信サーバ１００にデータを取りに行くＰｕｌｌ型配信である。
【００１８】
次に、図２〜図７により、本発明の一実施の形態に係る電子ペーパーディスプレイのデータ配信システムの配信サーバが保有する各テーブルの一例について説明する。図２〜図７は本発明の一実施の形態に係る電子ペーパーディスプレイのデータ配信システムの配信サーバが保有する各テーブルの一例を示す図であり、図２は電子ペーパーディスプレイテーブル１１０の一例、図３はセットアップテーブル１２０の一例、図４は初期設定変更テーブル１３０の一例、図５は表示スケジュール管理テーブル１４０の一例、図６は一時領域表示スケジュール管理テーブル１５０の一例、図７は配信スケジュール管理テーブル１６０の一例を示している。
【００１９】
図２において、電子ペーパーディスプレイテーブル１１０は、ロケーションＩＤに対して、電子ペーパーディスプレイ２００の設置箇所、電子ペーパーディスプレイ２００のシリアルＩＤ、電子ペーパーディスプレイ２００のＩＰアドレス、配信サーバＵＲＬ、ＳＳＩＤ、ＷＥＰキー、コンテンツ確認日時、電子ペーパーディスプレイ２００のファームウェアＶｅｒのデータが格納されている。
【００２０】
ロケーションＩＤはグループ部と単体部から構成され、図２に示す例では、ロケーションＩＤが“００１００００１”の場合、グループ部が“００１”、単体部が“００００１”となっている。
【００２１】
図３において、セットアップテーブル１２０は、ロケーションＩＤに対して、シリアルＩＤ、セットアップに関するステータス、データ登録日時が格納されている。
【００２２】
図４において、初期設定変更テーブル１３０は、ロケーションＩＤに対して、初期設定の情報である送信データが格納されている。
【００２３】
図５において、表示スケジュール管理テーブル１４０は、スケジュールＩＤに対して、ロケーションＩＤ、表示開始時刻、表示終了時刻、イメージ数、総表示時間、配信フラグ、スケジュール確定日時が格納されている。
【００２４】
図６において、一時領域表示スケジュール管理テーブル１５０、スケジュールＩＤに対して、ロケーションＩＤ、表示開始時刻、表示終了時刻、イメージ数、総表示時間、配信フラグ、スケジュール確定日時が格納されている。
【００２５】
図７において、配信スケジュール管理テーブル１６０は、スケジュールＩＤ、ロケーションＩＤ、スケジュールの情報であるスケジュールデータが格納されている。
【００２６】
次に、図８〜図１０により、本発明の一実施の形態に係る電子ペーパーディスプレイのデータ配信システムの初期設定通信処理の動作について説明する。図８は本発明の一実施の形態に係る電子ペーパーディスプレイのデータ配信システムの初期設定通信処理の動作を示すフローチャート、図９は本発明の一実施の形態に係る電子ペーパーディスプレイのデータ配信システムの初期設定画面の一例を示す図、図１０は本発明の一実施の形態に係る電子ペーパーディスプレイのデータ配信システムの設置箇所選択画面の一例を示す図である。
【００２７】
まず、システム管理者はクライアントＰＣ１０１から配信サーバ１００へアクセスし、図９に示すような、初期設定画面１７０より電子ペーパーディスプレイテーブル１１０の設置箇所、ＩＰアドレス、配信サーバＵＲＬ、ＳＳＩＤ、ＷＥＰキー、コンテンツ確認日時を入力する（Ｓ５０１）。
【００２８】
電子ペーパーディスプレイテーブル１１０のロケーションＩＤはグループ部と単体部から構成され、電子ペーパーディスプレイの使用方法を、図１０に示すような設置箇所選択画面１８０より単体または既存グループまたは新規グループのいずれかをシステム管理者が選択し、既存グループを選択した場合は該当グループ番号のレコードの単体番号をインクリメントし、新規グループを選択した場合はグループ番号をインクリメントし、配信サーバにて自動で採番する（Ｓ５０２）。
【００２９】
ロケーションＩＤ設定時はＳ５０２の処理を行うため電子ペーパーディスプレイテーブル１１０をロケーションＩＤにてソートしておくことで処理効率を上げることが可能である。
【００３０】
システム運用者がクライアントＰＣ１０１から例えば、表示画面上からセットアップする電子ペーパーディスプレイに対し、セットアップ待ち状態と設定することで、セットアップテーブル１２０のステータスを“０”（待ち）と設定する（Ｓ５０３）。
【００３１】
配信サーバ１００には、電子ペーパーディスプレイ２００の工場出荷初期設定時のＳＳＩＤ、ＷＥＰキー、ＩＰアドレスに合わせた初期設定用の各種データを扱うポートがある。
【００３２】
電子ペーパーディスプレイ２００の起動スイッチを押下することで電子ペーパーディスプレイ２００は固有情報（シリアルＩＤ、ファームウェアＶｅｒ）を配信サーバ１００へ送信するための通信を行う（Ｓ５０４）。
【００３３】
配信サーバ１００が電子ペーパーディスプレイ２００から固有情報を受信した場合、セットアップテーブル１２０のステータスが“０”（待ち）のロケーションＩＤを電子ペーパーディスプレイテーブル１１０より検索し、電子ペーパーディスプレイ２００から送信されてきた固有情報を電子ペーパーディスプレイテーブル１１０に設定する（Ｓ５０５）。
【００３４】
配信サーバ１００は、電子ペーパーディスプレイ２００に固有情報を受信した回答（ＡＣＫ）を送信する（Ｓ５０６）。電子ペーパーディスプレイ２００は配信サーバ１００より固有情報を受信した回答を受信（Ｓ５０７）後、初期設定要求情報を配信サーバ１００へ送信する（Ｓ５０８）。
【００３５】
配信サーバ１００は電子ペーパーディスプレイ２００より初期設定要求情報を受信した場合、初期設定要求してきた電子ペーパーディスプレイ２００のシリアルＩＤが該当する電子ペーパーディスプレイテーブル１１０のレコードの情報（ＩＰアドレス、配信サーバＵＲＬ、ＳＳＩＤ、ＷＥＰキー、ロケーションＩＤ、コンテンツ確認日時）を抽出（Ｓ５０９）し、初期設定情報として電子ペーパーディスプレイに送信する（Ｓ５１０）。
【００３６】
電子ペーパーディスプレイ２００は配信サーバ１００より初期設定情報を受信して、内蔵メモリに登録する（Ｓ５１１）。
【００３７】
次に、図１１および図１２により、本発明の一実施の形態に係る電子ペーパーディスプレイのデータ配信システムのコンテンツ設定通信処理の動作について説明する。図１１は本発明の一実施の形態に係る電子ペーパーディスプレイのデータ配信システムのコンテンツ設定通信処理の動作を示すフローチャート、図１２は本発明の一実施の形態に係る電子ペーパーディスプレイのデータ配信システムのスケジュール設定画面の一例を示す図である。
【００３８】
まず、システム管理者が、図１２に示すような配信サーバ１００のスケジュール設定画面１９０より電子ペーパーディスプレイ２００のスケジュールの設定・確定を単体またはグループ単位で行い、確定した単位をローカル変数（ａ）として保持する（Ｓ６０１）。
【００３９】
電子ペーパーディスプレイ２００は内蔵メモリに登録された配信サーバ１００へのコンテンツ確認日時に起動し、配信サーバ１００へ初期設定変更確認情報の送信を行う（Ｓ６０２）。
【００４０】
配信サーバ１００で一度初期設定を行った後に再度、図９に示すような初期設定画面１７０から設定値の変更を行っていた場合は、初期設定変更テーブル１３０にロケーションＩＤをキーとして、変更内容を送信データに格納し、レコードを追加する。
【００４１】
配信サーバ１００は初期設定変更確認情報の送信を行ってきた電子ペーパーディスプレイ２００のシリアルＩＤをキーとして電子ペーパーディスプレイテーブル１１０からロケーションＩＤを抽出し、そのロケーションＩＤと初期設定変更テーブル１３０に登録されているロケーションＩＤとを比較して（Ｓ６０３）、等しければ初期設定変更テーブル１３０の送信データを電子ペーパーディスプレイ２００へ送信し（Ｓ６０４）、電子ペーパーディスプレイ２００は配信サーバ１００より初期設定情報の変更分の送信データを受信して、内蔵メモリに登録し（Ｓ６０５）、初期設定変更情報回答を送信する（Ｓ６０６）。
【００４２】
Ｓ６０３にて変更が無い場合は、初期設定情報の送信は行わず、初期設定変更情報回答のみを送信する（Ｓ６０６）。電子ペーパーディスプレイ２００は配信サーバ１００より初期設定変更確認回答を受信（Ｓ６０７）した後、スケジュール変更確認情報の送信を行う（Ｓ６０８）。
【００４３】
管理者が、図１２に示すようなスケジュール設定画面１９０よりロケーションＩＤごとに電子ペーパーディスプレイに表示するイメージの開始時刻、終了時刻を設定することでスケジュールを作成する。
【００４４】
スケジュール設定画面１９０よりスケジュールを作成することで表示スケジュール管理テーブル１４０にレコードが追加され、表示スケジュール管理テーブル１４０のスケジュール確定日時が追加される。スケジュールの配信が行われると配信したスケジュールは一時領域表示スケジュール管理テーブル１５０に追加される。
【００４５】
配信サーバ１００は、スケジュール変更確認送信（Ｓ６０８）してきた電子ペーパーディスプレイ２００のシリアルＩＤをキーとして電子ペーパーディスプレイテーブル１１０より、ロケーションＩＤを抽出し、抽出したロケーションＩＤをキーとして表示スケジュール管理テーブル１４０と一時領域表示スケジュール管理テーブル１５０のスケジュール確定日時を抽出し、比較する（Ｓ６０９）。
【００４６】
スケジュール確定日時が等しければ、配信サーバは正常終了応答を電子ペーパーディスプレイへ送信し（Ｓ６１６）、電子ペーパーディスプレイ２００は配信サーバ１００より正常終了応答を受信し、コンテンツ設定通信処理を終了する（Ｓ６１７）。
【００４７】
Ｓ６０９にてスケジュール確定日時が等しくなければ、Ｓ６０１にて保持したローカル変数（ａ）よりスケジュールの設定および確定を行った単位を判別し（Ｓ６１０）、グループ単位であれば、ロケーションＩＤのグループ部が等しい各電子ペーパーディスプレイ２００へ、単体であれば選択されたロケーションＩＤの電子ペーパーディスプレイ２００へロケーションＩＤをキーとして配信スケジュール管理テーブル１６０に格納されているスケジュールデータを抽出し、送信する（Ｓ６１１、Ｓ６１２）。
【００４８】
電子ペーパーディスプレイ２００は配信サーバ１００より送信されてきたスケジュールデータを受信し、内蔵メモリに格納する（Ｓ６１３）。
【００４９】
配信サーバ１００は、スケジュールデータ配信後、スケジュールデータを配信したロケーションＩＤの電子ペーパーディスプレイ２００へスケジュールに設定されているイメージデータをイメージデータ分、配信する（Ｓ６１４）。
【００５０】
電子ペーパーディスプレイ２００は、配信サーバ１００より送信されたイメージデータを内蔵メモリへ格納する（Ｓ６１５）。
【００５１】
配信サーバ１００は正常終了応答を電子ペーパーディスプレイ２００へ送信し（Ｓ６１６）、電子ペーパーディスプレイ２００は配信サーバ１００より正常終了応答を受信しコンテンツ設定通信処理を終了する（Ｓ６１７）。
【００５２】
次に、本発明の一実施の形態に係る電子ペーパーディスプレイのデータ配信システムの具体的な処理例について説明する。
【００５３】
以下の処理例では、図８および図１１に示すフローチャートの各処理を、電子ペーパーディスプレイを東京駅の動輪の広場に２枚設置し、同一のスケジュールで同一のイメージを描画させる例で説明する。
【００５４】
まず、電子ペーパーディスプレイテーブル１１０に初期設定する情報として、以下のデータを用いる。
【００５５】
配信サーバＵＲＬ：１．１．１．１００
電子ペーパーディスプレイ２００に設定するＩＰアドレス：１．１．１．１、１．１．１．２
電子ペーパーディスプレイ２００のシリアルＩＤ：０００００１、０００００２
電子ペーパーディスプレイ２００のファームウェアＶｅｒ：００３０
無線通信のＳＳＩＤとＷＥＰキー：ｔｅｓｔ
配信サーバ１００と電子ペーパーディスプレイ２００のコンテンツ確認日時：００：００：００
システム管理者は電子ペーパーディスプレイ２００の設置箇所、ＩＰアドレス、配信サーバＵＲＬ、ＳＳＩＤ、ＷＥＰキー、コンテンツ確認日時を、例えば図９に示すような配信サーバの初期設定画面上より設定することで、電子ペーパーディスプレイテーブル１１０に設置箇所（東京駅動輪の広場）、ＩＰアドレス（１．１．１．１）、配信サーバＵＲＬ（１．１．１．１００）、ＳＳＩＤ（ｔｅｓｔ）、ＷＥＰキー（ｔｅｓｔ）、コンテンツ確認日時（００：００：００）のレコードが追加される（Ｓ５０１）。
【００５６】
情報設定後、システム管理者は図１０に示すような設置箇所選択画面上より電子ペーパーディスプレイ２００の使用方法を新規グループとし設定することで、先ほど追加した電子ペーパーディスプレイテーブル１１０のレコードのロケーションＩＤに００１００００１（グループ部００１、単体部００００１）が登録される（Ｓ５０２）。
【００５７】
同様に、もう一枚の電子ペーパーディスプレイ２００の設置箇所、ＩＰアドレス、配信サーバＵＲＬ、ＳＳＩＤ、ＷＥＰキー、コンテンツ確認日時を、例えば図９に示すような配信サーバの初期設定画面上より設定することで、電子ペーパーディスプレイテーブル１１０に設置箇所（東京駅動輪の広場）、ＩＰアドレス（１．１．１．２）、配信サーバＵＲＬ（１．１．１．１００）、ＳＳＩＤ（ｔｅｓｔ）、ＷＥＰキー（ｔｅｓｔ）、コンテンツ確認日時（００：００：００）のレコードが追加される（Ｓ５０１）。
【００５８】
情報設定後、システム管理者は図１０に示すような設置箇所選択画面上より電子ペーパーディスプレイの使用方を先ほどの電子ペーパーディスプレイと同じグループとし設定することで、今、設定した電子ペーパーディスプレイテーブル１１０のレコードのロケーションＩＤに００１００００２（グループ部００１、単体部００００２）が登録される（Ｓ５０２）。
【００５９】
そして、ロケーションＩＤ００１００００１とロケーションＩＤ００１００００２の電子ペーパーディスプレイ２００をセットアップ待ち状態に設定することで、セットアップテーブル１２０のロケーションＩＤ００１００００１と００１００００２のステータスが０とされる（Ｓ５０３）。
【００６０】
システム管理者がシリアルＩＤ０００００１の電子ペーパーディスプレイ２００を起動することにより配信サーバ１００がシリアルＩＤとファームウェアＶｅｒを取得し、電子ペーパーディスプレイテーブル１１０のロケーションＩＤ００１００００１のレコードにシリアルＩＤ（０００００１）、ファームウェアＶｅｒ（００３０）が設定され、セットアップテーブル１２０のロケーションＩＤ００１００００１のレコードのステータスが１（セットアップ完了）とされる（Ｓ５０４）。
【００６１】
同様に、システム管理者がシリアルＩＤ０００００２の電子ペーパーディスプレイ２００を起動することにより配信サーバ１００がシリアルＩＤとファームウェアＶｅｒを取得し、電子ペーパーディスプレイテーブル１１０のロケーションＩＤ００１００００２のレコードにシリアルＩＤ（０００００２）、ファームウェアＶｅｒ（００３０）が設定され、セットアップテーブル１２０のロケーションＩＤ００１００００２のレコードのステータスが１（セットアップ完了）とされる（Ｓ５０４）。
【００６２】
ロケーションＩＤ００１００００１、ロケーションＩＤ００１０００２の電子ペーパーディスプレイ２００へ電子ペーパーディスプレイテーブル１１０に登録されている情報（設置箇所（東京駅動輪の広場）、ＩＰアドレス（１．１．１．１、１．１．１．２）、配信サーバＵＲＬ（１．１．１．１００）、ＳＳＩＤ（ｔｅｓｔ）、ＷＥＰキー（ｔｅｓｔ）、コンテンツ確認日時（００：００：００））が送信され（Ｓ５０８）、電子ペーパーディスプレイ２００は内蔵メモリに格納する（Ｓ５１１）。
【００６３】
そして、システム管理者がスケジュール設定画面１９０画面上より電子ペーパーディスプレイのスケジュールをグループ単位で設定・確認すると、配信スケジュール管理テーブル１６０のスケジュールデータに登録される。
【００６４】
００：００：００になり、ロケーションＩＤ００１００００１、ロケーションＩＤ００１００００２の電子ペーパーディスプレイ２００より、初期設定変更確認通信（Ｓ６０２）が行われるが初期設定変更していないためＳ６０３にてＮｏとなり、初期設定変更確認回答送信を行う（Ｓ６０６）。
【００６５】
そして、スケジュール変更確認通信（Ｓ６０８）が行われ、Ｓ６０９の判定よりロケーションＩＤ００１００００１とロケーションＩＤ００１００００２の表示スケジュール管理テーブル１４０と一時領域表示スケジュール管理テーブル１５０のスケジュール確定日時が異なるためＳ６１０の判定を行う。
【００６６】
グループ単位でスケジュールの設定・確定を行ったためロケーションＩＤのグループ部が００１の電子ペーパーディスプレイであるロケーションＩＤ００１００００１とロケーションＩＤ００１００００２の電子ペーパーディスプレイ２００にＳ６０１で設定したスケジュールの配信（Ｓ６１１）、イメージの配信（Ｓ６１４）を行い、２枚の電子ペーパーディスプレイ２００にて同一のスケジュールで同一のイメージの表示を行う。
【００６７】
以上のように、本実施に形態によれば、ロケーションＩＤを用いることにより、複数枚の電子ペーパーディスプレイ２００を１グループとし、同一グループ内の電子ペーパーディスプレイ２００には同一のイメージデータ、表示スケジュールを一括で設定することが可能となる。
【００６８】
以上、本発明者によってなされた発明を実施の形態に基づき具体的に説明したが、本発明は前記実施の形態に限定されるものではなく、その要旨を逸脱しない範囲で種々変更可能であることはいうまでもない。
【産業上の利用可能性】
【００６９】
電子ペーパーディスプレイ装置は、電子ペーパー技術が持つ、一旦表示すると画像メモリ性があり通電無しで消えない特長から、バッテリーによる長期間駆動が可能な特徴があり、かつ薄型、軽量実装が可能である事から、既存のＰＤＰやＬＣＤ等のディスプレイ装置と異なり、従来必要であった電源工事や設置工事が不要であり、簡便に設置することが可能である。また、従来の紙媒体と異なり、リモートアクセス可能な通信機能を持ち、タイムリーな情報書換えが可能となるため、印刷・運搬・掲出・廃棄の作業工程を必要としない。これらディスプレイ装置と紙媒体の長所を併せ持つ電子ペーパーディスプレイは、紙の代替として、新しい表示媒体となる可能性がある。本発明は、このような電子ペーパーディスプレイへのデータ配信を行う装置やシステムなど多目的な幅広い分野で適用可能である。
【図面の簡単な説明】
【００７０】
【図１】本発明の一実施の形態に係る電子ペーパーディスプレイのデータ配信システムの構成を示す構成図である。
【図２】本発明の一実施の形態に係る電子ペーパーディスプレイのデータ配信システムの配信サーバが保有する電子ペーパーディスプレイテーブルの一例を示す図である。
【図３】本発明の一実施の形態に係る電子ペーパーディスプレイのデータ配信システムの配信サーバが保有するセットアップテーブルの一例を示す図である。
【図４】本発明の一実施の形態に係る電子ペーパーディスプレイのデータ配信システムの配信サーバが保有する初期設定変更テーブルの一例を示す図である。
【図５】本発明の一実施の形態に係る電子ペーパーディスプレイのデータ配信システムの配信サーバが保有する表示スケジュール管理テーブルの一例を示す図である。
【図６】本発明の一実施の形態に係る電子ペーパーディスプレイのデータ配信システムの配信サーバが保有する一時領域表示スケジュール管理テーブルの一例を示す図である。
【図７】本発明の一実施の形態に係る電子ペーパーディスプレイのデータ配信システムの配信サーバが保有する配信スケジュール管理テーブルの一例を示す図である。
【図８】本発明の一実施の形態に係る電子ペーパーディスプレイのデータ配信システムの初期設定通信処理の動作を示すフローチャートである。
【図９】本発明の一実施の形態に係る電子ペーパーディスプレイのデータ配信システムの初期設定画面の一例を示す図である。
【図１０】本発明の一実施の形態に係る電子ペーパーディスプレイのデータ配信システムの設置箇所選択画面の一例を示す図である。
【図１１】本発明の一実施の形態に係る電子ペーパーディスプレイのデータ配信システムのコンテンツ設定通信処理の動作を示すフローチャートである。
【図１２】本発明の一実施の形態に係る電子ペーパーディスプレイのデータ配信システムのスケジュール設定画面の一例を示す図である。
【符号の説明】
【００７１】
１００…配信サーバ、１０１…クライアントＰＣ、１１０…電子ペーパーディスプレイテーブル、１２０…セットアップテーブル、１３０…初期設定変更テーブル、１４０…表示スケジュール管理テーブル、１５０…一時領域表示スケジュール管理テーブル、１６０…配信スケジュール管理テーブル、２００−１〜２００−４…電子ペーパーディスプレイ、３００−１〜３００−２…車両、４００…ネットワーク。
【図１】
0004892424.tif 000002
【図２】
0004892424.tif 000003
【図３】
0004892424.tif 000004
【図４】
0004892424.tif 000005
【図５】
0004892424.tif 000006
【図６】
0004892424.tif 000007
【図７】
0004892424.tif 000008
【図８】
0004892424.tif 000009
【図９】
0004892424.tif 000010
【図１０】
0004892424.tif 000011
【図１１】
0004892424.tif 000012
【図１２】
0004892424.tif 000013